(57)【要約】      （修正有）【課題】ワイヤハーネスを押えるための弾性片の弾性力が損なわれることなく、かつ、該弾性片を成形する型の耐久性を向上させることができるワイヤハーネス用プロテクタを提供する。【解決手段】ワイヤハーネス用プロテクタ１０は、底壁１１と、この底壁１１から立設した両側壁１３,１３と、底壁１１及び両側壁１３,１３で形成された収容凹部１５とを有し、前記両側壁１３,１３の少なくとも一方の側壁１３には、底壁１１に向かって伸びる一対のスリット１７,１７によって撓み可能に形成された弾性片２０と、この弾性片２０の先端から収容凹部１５の内部へ向かって延出された押え爪２２とが形成されており、前記弾性片２０の外側面２０ａは、弾性片２０が設けられた側壁１３の外側面１３ａと同一面とされ、弾性片２０の内側面２０ｂは、該側壁１３の内側面１３ｂよりも引き込んだ面とされている。【選択図】図１
2010004715.tif 000002
【特許請求の範囲】
【請求項１】
底壁と、この底壁から立設した両側壁と、前記底壁及び前記両側壁で形成された収容凹部とを有し、前記収容凹部内にワイヤハーネスを収容し保護するワイヤハーネス用プロテクタであって、
前記両側壁の少なくとも一方の側壁には、底壁に向かって伸びる一対のスリットによって撓み可能に形成された弾性片と、この弾性片の先端から前記収容凹部の内部へ向かって延出された押え爪とが形成されており、
前記弾性片の外側面は、該弾性片が設けられた側壁の外側面と同一面とされ、同弾性片の内側面は、該側壁の内側面よりも引き込んだ面とされていることを特徴とするワイヤハーネス用プロテクタ。
【請求項２】
前記ワイヤハーネスは、複数のワイヤを捩って束ねられたものである請求項１記載のワイヤハーネス用プロテクタ。
【請求項３】
前記押え爪は、一方の側壁に形成した前記弾性片の先端から他方の側壁に向かって突出された基部と、該基部の先端から底壁に向かって斜めに延出された先端部とからなる請求項２記載のワイヤハーネス用プロテクタ。
【請求項４】
前記底壁には、前記弾性片に隣接すると共に前記押え爪に整合した位置に、孔が設けられている請求項１〜３のいずれか１つに記載のワイヤハーネス用プロテクタ。
【請求項５】
前記両側壁は所定長さで伸びており、この両側壁に、長さ方向に位置をずらして、交互に複数の弾性片及び押え爪が形成されており、
更に、両側壁の開口部側の内面は、開口に向かって次第に幅広となるテーパ面をなしている請求項１〜４のいずれか１つに記載のワイヤハーネス用プロテクタ。
【請求項６】
ガラス繊維が含有された合成樹脂材料で形成されている請求項１〜５のいずれか１つに記載のワイヤハーネス用プロテクタ。
【請求項７】
前記弾性片に対向する側壁と、前記底壁との間の角部には、収容凹部内に挿入されるワイヤハーネスを、該弾性片が設けられた側壁側へ案内するガイドリブが設けられている請求項１〜６のいずれか１つに記載のワイヤハーネス用プロテクタ。
【発明の詳細な説明】
【技術分野】
【０００１】
本発明は、ワイヤハーネスを収容し保護するワイヤハーネス用プロテクタに関する。
【背景技術】
【０００２】
例えば、自動車には各種の電装部品が装備されている。これらの各種電装部品からは、複数のワイヤ（電線）が延出されており、これらが束ねられてワイヤハーネスが形成されている。このワイヤハーネスは、剥き出し状態で自動車の所定位置に配置される場合もあるが、配置箇所によっては他部材に干渉したり損傷したりする懸念が生じる。そのため、このような箇所においては、ワイヤハーネス用プロテクタに、ワイヤハーネスを収容し保護した状態で配置されるようになっている。
【０００３】
従来のこの種のプロテクタとして、下記特許文献１には、基壁の両側に一対の対向壁を有し、該対向壁の縁部外面に曲面突部を突設し、線状体をカバーして該線状体に粘着テープによりテープ巻きされるプロテクタにおいて、前記対向壁の少なくとも一方に、長手方向に所定間隔を有する一対のスリットを形成して該スリット間に可撓壁部を設けたものが開示されている。また、前記可撓壁部の内面先端からは、プロテクタ内に向かって押さえ羽根部が延設されている。
【０００４】
実際の使用に際しては、まず、プロテクタ内にワイヤハーネスを挿入する。このとき、可撓壁部から押さえ羽根部が長く延出している場合には、可撓壁部を外方に撓ませつつ、プロテクタ内にワイヤハーネスが挿入されるようになっている。プロテクタ内にワイヤハーネスを収容した後、プロテクタ外周に粘着テープをテープ巻きすることにより、可撓性壁部がテープにより押圧されて内側に撓むと共に、押さえ羽根部がワイヤハーネスに弾性的に当接して、ワイヤハーネスが押さえ込まれるようになっている。
【特許文献１】特開平１１−１９６５１８号公報
【発明の開示】
【発明が解決しようとする課題】
【０００５】
ところで、ワイヤハーネスを配置する場所によっては、高温下に置かれたり、振動などの外力が作用したり、油が付着したりする場合があり、そのような場合には、耐熱性、強度、耐油性などを満足する樹脂材料でプロテクタを形成する必要がある。しかし、そのような耐熱性、強度、耐油性等に優れた樹脂材料で上記引用文献１のプロテクタを形成した場合には、前記可撓壁部の弾性力が不十分となって撓みにくくなり、ワイヤハーネスを挿入しにくくなる可能性があった。
【０００６】
また、可撓壁部に設けた押さえ羽根部を成形するにあたっては、同押さえ羽根部の内側に、成形用の型を挿入する必要がある。しかし、押さえ羽根部の延出角度や長さ等によっては、前記成形用の型を薄く形成しなければならないので、特に小径のワイヤハーネスに対応させた断面積の小さなプロテクタの場合、型の耐久性が問題となることがあった。
【０００７】
したがって、本発明の目的は、耐熱性、強度、耐油性等に優れた樹脂材料で成形した場合でも、ワイヤハーネスを押えるための弾性片の弾性力が損なわれることなく、かつ、該弾性片を成形する型の耐久性を向上させることができるワイヤハーネス用プロテクタを提供することにある。
【課題を解決するための手段】
【０００８】
上記目的を達成するため、本発明の第１は、底壁と、この底壁から立設した両側壁と、前記底壁及び前記両側壁で形成された収容凹部とを有し、前記収容凹部内にワイヤハーネスを収容し保護するワイヤハーネス用プロテクタであって、前記両側壁の少なくとも一方の側壁には、底壁に向かって伸びる一対のスリットによって撓み可能に形成された弾性片と、この弾性片の先端から前記収容凹部の内部へ向かって延出された押え爪とが形成されており、前記弾性片の外側面は、該弾性片が設けられた側壁の外側面と同一面とされ、同弾性片の内側面は、該側壁の内側面よりも引き込んだ面とされていることを特徴とするワイヤハーネス用プロテクタを提供するものである。
【０００９】
上記発明によれば、収容凹部内方に向けてワイヤハーネスを押し込むことにより、押え爪が押圧されて弾性片が外方に撓んで、押え片の下方にワイヤハーネスが挿入され、その結果、ワイヤハーネスが押え片により押え込まれて、収容凹部内に収容保持されると共に、その外周が底壁及び両側壁で保護される。
【００１０】
そして、このプロテクタにおいては、弾性片の外側面は、該弾性片が設けられた側壁の外側面と同一面とされているものの、同弾性片の内側面は、該側壁の内側面よりも引き込んだ面とされているので、弾性片を薄くすることができ、弾性片の撓みやすさを向上させて、上記のワイヤハーネスの挿入作業をスムーズに行うことができる。
【００１１】
また、弾性片の内側面は、側壁の内側面よりも引き込んだ面とされているので、弾性片と押え爪との間に挿入されて両者の内側形状を成形するための、型を肉厚にすることができ、その剛性を高めて耐久性を向上させることができる。
【００１２】
更に、収容凹部内にワイヤハーネスを挿入したとき、その一部が、側壁の内側面と弾性片の内側面との間に生じた段差部分に入り込んで、段差部分に係合した状態となるので、ワイヤハーネスをプロテクタ内で移動しないように、滑り止めを図ることができる。
【００１３】
本発明の第２は、前記第１の発明において、前記ワイヤハーネスは、複数のワイヤを捩って束ねられたものであるワイヤハーネス用プロテクタを提供するものである。
【００１４】
上記発明によれば、ワイヤハーネスを収容凹部に挿入したときに、個々のワイヤの湾曲した部分が、一方の側壁の内側面と弾性片の内側面との間に生じた段差部分に入り込みやすくなるので、より高い滑り止め効果を得ることができる。
【００１５】
本発明の第３は、前記第２の発明において、前記押え爪は、一方の側壁に形成した前記弾性片の先端から他方の側壁に向かって突出された基部と、該基部の先端から底壁に向かって斜めに延出された先端部とからなるワイヤハーネス用プロテクタを提供するものである。
【００１６】
上記発明によれば、押え片の先端部が、ワイヤハーネスを構成する複数のワイヤどうしの隙間部分に入り込みやすくすることができ、ワイヤハーネスの保持力を向上させることができる。
【００１７】
本発明の第４は、前記第１〜３のいずれか１つの発明において、前記底壁には、前記弾性片に隣接すると共に前記押え爪に整合した位置に、孔が設けられているワイヤハーネス用プロテクタを提供するものである。
【００１８】
上記発明によれば、弾性片に隣接して孔が設けられているので、弾性片をより撓みやすくすることができる。また、押え片に整合した位置に孔があるので、押え爪の内側形状を成形するための型の抜き孔ともなり、その成形性を高めることができる。
【００１９】
本発明の第５は、前記第１〜４のいずれか１つの発明において、前記両側壁は所定長さで伸びており、この両側壁に、長さ方向に位置をずらして、交互に複数の弾性片及び押え爪が形成されており、更に、両側壁の開口部側の内面は、開口に向かって次第に幅広となるテーパ面をなしているワイヤハーネス用プロテクタを提供するものである。
【００２０】
上記発明によれば、両側壁内面のテーパ面が、収容凹部にワイヤハーネスを挿入する際のガイドとなるので、ワイヤハーネスの挿入作業性を向上させることができる。また、収容凹部内に収容されたワイヤハーネスを、両側壁に交互に設けられた押え片によって、しっかりと保持させることができる。
【００２１】
本発明の第６は、前記第１〜５のいずれか１つの発明において、ガラス繊維が含有された合成樹脂材料で形成されているワイヤハーネス用プロテクタを提供するものである。
【００２２】
上記発明によれば、プロテクタ全体の耐熱性、強度、耐油性、耐燃料性等を向上させつつ、弾性片の撓みやすさを維持することができる。
【００２３】
本発明の第７は、前記第１〜６のいずれか１つの発明において、前記弾性片に対向する側壁と、前記底壁との間の角部には、収容凹部内に挿入されるワイヤハーネスを、該弾性片が設けられた側壁側へ案内するガイドリブが設けられているワイヤハーネス用プロテクタを提供するものである。
【００２４】
上記発明によれば、両側壁の開口部から、ワイヤハーネスを収容凹部内に挿入していくと、ワイヤハーネスがガイドリブに押圧されて弾性片側の側壁へガイドされるので、ワイヤハーネスが該側壁の内側面と弾性片の内側面との間に生じた段差部分に入り込みやすくなり、滑り止め効果を高めることができる。
【発明の効果】
【００２５】
本発明のワイヤハーネス用プロテクタによれば、弾性片の外側面は、該弾性片が設けられた側壁の外側面と同一面とされているものの、同弾性片の内側面は、該側壁の内側面よりも引き込んだ面とされているので、弾性片を薄くすることができ、弾性片の撓みやすさを向上させて、上記のワイヤハーネスの挿入作業をスムーズに行うことができる。
【００２６】
また、弾性片の内側面は、側壁の内側面よりも引き込んだ面とされているので、弾性片と押え爪との間に挿入されて両者の内側形状を成形するための、型を肉厚にすることができ、その剛性を高めて耐久性を向上させることができる。
【発明を実施するための最良の形態】
【００２７】
以下、本発明によるワイヤハーネス用プロテクタの実施形態を説明する。図１〜５には、本発明によるワイヤハーネス用プロテクタ１０（以下、「プロテクタ１０」という）の一実施形態が示されている。
【００２８】
この実施形態におけるプロテクタ１０は、一方向に所定長さで伸びる長板状の底壁１１と、該底壁１１の長さ方向に沿った両側縁からそれぞれ立設した両側壁１３,１３と、前記底壁１１及び両側壁１３,１３で形成された収容凹部１５とを有した略樋状をなし、該収容凹部１５内に、ワイヤハーネス１（以下、「ハーネス１」という）を収容し保護するためのものである。
【００２９】
また、この実施形態のプロテクタ１０は、ガラス繊維を含有した、ナイロン等のポリアミド系樹脂や、フッ素樹脂、ＰＢＴ（ポリブチレンテレフタート）、ＰＰＳ（ポリフェニレンサルファイド）等の合成樹脂材料によって形成されており、比較的高い剛性や耐熱性、耐油性、耐燃料性を備えるものとなっている。
【００３０】
なお、このプロテクタ１０により収容保護されるワイヤハーネス１は、図１に示すように、複数のワイヤ３,４,５を捩って一本に束ねたものを対象としている。但し、複数のワイヤを直線状に束ねたワイヤハーネス等でもよく、特に限定されるものではない。
【００３１】
図１に示すように、底壁１１の外面側（下面側）であって長さ方向の一側縁からは、舌片状のブラケット１１ａが複数突設している。このブラケット１１ａは、図示しない被取付部材にプロテクタ１０を取付ける際に利用される。
【００３２】
また、両側壁１３,１３の先端の開口部側の内面は、開口に向かって次第に幅広となるテーパ面１４,１４をなしており、収容凹部１５へハーネス１を挿入する際のガイドとなっている。
【００３３】
図１に示すように、側壁１３の長さ方向途中には、一対のスリット１７,１７が底壁１１に向かって所定長さで伸びており、該一対のスリット１７,１７を介して、収容凹部１５の内方及び両側壁１３の外方に撓み可能とされた弾性片２０が形成されている。
【００３４】
同図１に示すように、この実施形態のプロテクタ１０においては、両側壁１３,１３の長さ方向に位置をずらして、左右交互に複数の弾性片２０が設けられている。すなわち、弾性片２０が両側壁１３，１３に互い違いに設けられ、両側壁１３,１３の弾性片２０に対向した位置には、弾性片２０が配置されない構造となっている。
【００３５】
また、この実施形態では、一方の側壁１３（図１中左側）に２つの弾性片２０,２０が設けられ、他方の側壁１３（同図１中右側）に一つの弾性片２０が設けられた構造をなしているが、弾性片２０の数は適宜設定することができる。
【００３６】
そして、図１及び図３に示すように、前記弾性片２０の外側面２０ａは、弾性片２０が設けられた側壁１３の外側面１３ａと同一面とされ、同弾性片２０の内側面２０ｂは、弾性片２０が設けられた側壁１３の内側面１３ｂよりも内方（外側面１３ａ方向）に引き込んだ面とされている。すなわち、図４に示すように、弾性片２０の厚さＴ１は、弾性片２０が設けられた側壁１３の厚さＴ２よりも、薄くなるように形成されている。このように弾性片２０を薄肉に形成した結果、図３に示すように、弾性片２０が設けられた側壁１３の内側面１３ｂと、弾性片２０の内側面２０ｂとの間には、段差部分２１が形成されることとなる。
【００３７】
前記弾性片２０の先端からは、収容凹部１５の内部へ向かって押え爪２２が延出されている。この押え爪２２は、一方の側壁１３に形成された弾性片２０の先端内面から、他方の側壁１３に向かって、ほぼ垂直に所定長さで突出された板状の基部２２ａと、該基部２２ａの先端から、底壁１１に向かって斜め下方に延出された先端部２２ｂとから形成されている。図４を併せて参照すると、この押え爪２２の先端部２２ｂは、底壁１１の幅方向の中央付近まで延出している。
【００３８】
そして、図１,４に示すように、底壁１１には、弾性片２０に隣接すると共に、上記押え爪２２に整合した位置に、孔２４が設けられている。この孔２４は、弾性片２０を撓みやすくすると共に、プロテクタ１０の成形時の抜き孔となるものである。
【００３９】
これに関連して、このプロテクタ１０を成形するための金型構造について、図５を参照して説明する。
【００４０】
この金型３０は、両側壁１３及び弾性片２０の外側形状や、収容凹部１５の内側形状を主に成形する第１型３１と、底壁１１の外側形状及び押え爪２２の内側形状を主に成形する第２型３２とを有している。また、これらの型３１,３２は、矢印Ｆ１，Ｆ２に示すように、互いに近接離反してスライド移動するようになっている。更に、第２型３２には、押え爪２２の内側形状を成形するための突出部３２ａが設けられている。
【００４１】
プロテクタ１０の成形の際には、上記型３１,３２を矢印Ｆ２方向にスライドさせて閉じ、それによって形成されるキャビティ内に合成樹脂を射出成形することにより、プロテクタ１０が射出成形される。
【００４２】
その後、型３１,３２を矢印Ｆ１方向にスライド移動して両者を開き、図示しない押出しピン等により成形品を押出すことにより、型３１,３２内からプロテクタ１０が抜型される。このとき、プロテクタ１０には、その底壁１１に孔２４が設けられているので、これが前記第２型３２の突出部３２ａの抜き孔となって、押え爪２２及び弾性片２０の内側形状を容易に成形することができる。
【００４３】
そして、このプロテクタ１０においては、弾性片２０の内側面２０ｂが、弾性片２０が設けられた側壁１３の内側面１３ｂよりも引き込んだ面とされている。その結果、図５に示すように、押え爪２２及び弾性片２０の内側形状を成形するための、突出部３２ａの幅Ｗ１を、側壁１３の内側面１３ｂが引き込んでないとした場合（弾性片２０の内側面２０ｂと側壁１３の内側面１３ｂとが同一面の場合）の幅Ｗ２よりも、厚くすることができるので、突出部３２ａの剛性を高めることができ、その耐久性を向上させることができる。
【００４４】
次に、上記構成からなる本発明のプロテクタ１０の使用方法について説明する。
【００４５】
すなわち、図１に示すように、ハーネス１を収容凹部１５の開口部に整合させた後、収容凹部１５内にハーネス１を挿入すべく、収容凹部１５の内方に向かってハーネス１を押し込んでいく。このとき、両側壁１３,１３の開口部内面に設けたテーパ面１４,１４によって、ハーネス１をガイドしつつ収容凹部１５内に挿入されるので、ハーネス１の挿入作業性を向上させることができる。
【００４６】
収容凹部１５内にハーネス１を挿入していくと、該ハーネス１により、各押え爪２２の先端部２２ｂが押圧されて、弾性片２０が外方に撓み、ハーネス１が押え爪２２の先端部２２ｂの下方に至ると、弾性片２０が弾性復帰して、図４に示すように、複数のワイヤ３,４,５どうしの隙間部分に先端部２２ｂが入り込むか、或いは、複数のワイヤ３,４,５のいずれかの外周に当接して（図４想像線参照）、ハーネス１が押え爪２２により押え込まれて、収容凹部１５内に収容保持されると共に、その外周が底壁１１及び両側壁１３,１３によって保護される。
【００４７】
このとき、このプロテクタ１０の押え爪２２は、弾性片２０先端内面から所定長さで突出した基部２２ａと、該基部２２ａから底壁１１側に向かって延出した先端部２２ｂとから形成されているので、複数のワイヤ３,４,５どうしの隙間部分に入り込みやすくなり、ハーネス１に対する押さ爪２２の保持力を向上させることができる。
【００４８】
そして、このプロテクタ１０においては、弾性片２０の外側面２０ａは、該弾性片２０が設けられた側壁１３の外側面１３ａと同一面とされているものの、同弾性片２０の内側面２０ｂは、該側壁１３の内側面１３ｂよりも引き込んだ面とされているので、弾性片２０を薄く形成できるようになっている。そのため、弾性片２０の撓みやすさを向上させることができるので、上記のハーネス１の収容凹部１５への挿入作業をスムーズに行うことができる。
【００４９】
また、側壁１３の内側面１３ｂと弾性片２０の内側面２０ｂとの間に段差部分２１（図３参照）が形成されていることにより、上記のように、収容凹部１５内にハーネス１を挿入したときには、その一部が前記段差部分２１に入り込んで、段差部分２１に係合した状態となる。そのため、例えば、ハーネス１が予期しない外力により引っ張られたとしても、段差部分２１にハーネス１の一部が係合しているので、ハーネス１のそれ以上の移動が阻止されて、滑り止めを図ることができる。
【００５０】
更に、この実施形態においては、両側壁１３,１３に、長さ方向に位置をずらして、交互に複数の弾性片２０及び押え爪２２を設けた構造を採用したので、収容凹部１５内に収容されたハーネス１を、両側壁１３,１３に交互に設けられた押え爪２２によって、強固かつバランスよく均等に保持することができる。
【００５１】
以上のように、ハーネス１をプロテクタ１０により収容保護した後、ブラケット１１ａ,１１ａを介して、例えば、自動車の被取付部材に取付けられて、ハーネス１を所定位置に配設させることができる。この実施形態のプロテクタ１０においては、ガラス繊維を含有した合成樹脂材料によって形成されているので、例えば、自動車のＡＴ（オートマチックトランスミッション）近傍等の、耐油性、耐燃料性や耐熱性、更には剛性が要求される箇所においても、好適に用いることができる。
【００５２】
図６には、本発明によるワイヤハーネス用プロテクタの他の実施形態が示されている。なお、前記実施形態と実質的に同一部分には同符号を付してその説明を省略することにする。
【００５３】
図６に示すように、この実施形態のワイヤハーネス用プロテクタ１０ａ（以下、「プロテクタ１０ａ」という）は、側壁１３の弾性片２０と対向する部分の内壁と、底壁１１との間の角部に、収容凹部１５内に挿入されるハーネス１を、弾性片２０側へ案内するガイドリブ２６が設けられている。同図６に示すように、このガイドリブ２６は、円弧状に湾曲した外周面を有している。ただし、このガイドリブ２６の形状は特に限定されず、プロテクタ１０を軸方向に見たとき、三角形をなすように突出したリブ等であってもよい。
【００５４】
そして、この実施形態のプロテクタ１０ａの収容凹部１５内にハーネス１を挿入していくと、ハーネス１がガイドリブ２６に押圧されて、弾性片２０側へガイドされるので、ハーネス１が側壁１３の内側面１３ｂと弾性片２０の内側面２０ｂとの間に生じた段差部分２１に入り込みやすくなり、滑り止め効果をより高めることができる。
【図面の簡単な説明】
【００５５】
【図１】本発明のワイヤハーネス用プロテクタの一実施形態を示す斜視図である。
【図２】同プロテクタにワイヤハーネスを収容保護した状態を示す斜視図である。
【図３】同プロテクタにワイヤハーネスを収容保護した状態での平面図である。
【図４】図３のＩＶ−ＩＶ矢示線における断面図である。
【図５】本発明のプロテクタ形成用の金型を示す説明図である。
【図６】本発明のワイヤハーネス用プロテクタの他の実施形態を示す、一部を破断した斜視図である。
【符号の説明】
【００５６】
１  ワイヤハーネス（ハーネス）
３  ワイヤ
１０,１０ａ  ワイヤハーネス用プロテクタ（プロテクタ）
１１  底壁
１３,１３  両側壁
１３ａ  外側面
１３ｂ  内側面
１５  収容凹部
１７  スリット
２０  弾性片
２０ａ  外側面
２０ｂ  内側面
２１  段差部分
２２  押え爪
２２ａ  基部
２２ｂ  先端部
２４  孔
２６  ガイドリブ
【図１】
2010004715.tif 000003
【図２】
2010004715.tif 000004
【図３】
2010004715.tif 000005
【図４】
2010004715.tif 000006
【図５】
2010004715.tif 000007
【図６】
2010004715.tif 000008